(57)【要約】  同じ列に配置された内部端子同士における電磁波の干渉が抑制された多極コネクタセットを提供する。  第１コネクタ１００Ａと第２コネクタ１００Ｂが嵌合されて構成される多極コネクタセット１００であって、第１コネクタ１００Ａは、複数列に配列される第１内部端子１ａ〜１ｎと、第１絶縁性部材２と、第１内部端子１ａ〜１ｎの列間に位置する第１シールド部材４と、を備え、第２コネクタ１００Ｂは、複数列に配列される第２内部端子５ａ〜５ｎと、第２絶縁性部材６と、を備え、第１シールド部材４と、第２内部端子５ｃ、５ｅ、５ｊ、５ｌとを接続する接続部４ａ、４ｂ、４ｃ、４ｄをさらに備えるものとする。
2020218385.tif 000002
【特許請求の範囲】
【請求項１】
第１コネクタと第２コネクタの内部端子同士が互いに接続されて構成される多極コネクタセットであって、
前記第１コネクタは、
複数列に配列される第１内部端子と、
前記第１内部端子を保持する第１絶縁性部材と、
前記第１内部端子の列間に位置する第１シールド部材と、を備え、
前記第２コネクタは、
複数列に配列される第２内部端子と、
前記第２内部端子を保持する第２絶縁性部材と、を備え、
前記第１シールド部材と、前記第１内部端子または前記第２内部端子とを接続する接続部をさらに備える、
多極コネクタセット。
【請求項２】
前記第１シールド部材は、前記接続部を有し、前記接続部は、前記第１シールド部材から、前記第１内部端子または前記第２内部端子の方向に延びる、
請求項１に記載された多極コネクタセット。
【請求項３】
前記第２内部端子は、前記接続部を有し、前記接続部は、前記第２内部端子から、前記第１シールド部材の方向に延びる、
請求項１に記載された多極コネクタセット。
【請求項４】
前記第２コネクタは、長手方向に延在する矩形状であり、
前記第２コネクタは、前記第２絶縁性部材に保持される第２外部端子を、さらに備え、
前記第２外部端子は、前記長手方向に延在し互いに対向する２つの側壁部を有し、
前記第２内部端子の少なくとも１つは、前記側壁部に接続し、
前記第２内部端子は、前記接続部を有し、前記接続部は、前記側壁部に接続した前記第２内部端子から、前記第１シールド部材の方向に延びる、
請求項１に記載された多極コネクタセット。
【請求項５】
前記第１コネクタは、前記第１絶縁性部材に保持される第１外部端子を、さらに備え、
前記第２コネクタは、前記第２絶縁性部材に保持される第２外部端子を、さらに備え、
前記第１シールド部材は前記第１外部端子の下を通り、前記第２外部端子まで伸びる、
請求項１ないし４のいずれか１項に記載の多極コネクタセット。
【請求項６】
前記第２コネクタは前記第１シールド部材を前記第１内部端子の延在方向の両方から押圧する、第２内部端子を有する、
請求項１ないし５のいずれか１項に記載の多極コネクタセット。
【請求項７】
前記第２コネクタは、前記第２内部端子の列間に位置する第２シールド部材を、さらに備え、
前記第２シールド部材は、前記第１シールド部材と接続する、
請求項１ないし６のいずれか１項に記載された多極コネクタセット。
【請求項８】
前記第１内部端子が雄型端子であり、
前記第２内部端子が雌型端子である、
請求項１ないし７のいずれか１項に記載された多極コネクタセット。
【発明の詳細な説明】
【技術分野】
【０００１】
本発明は、第１コネクタと第２コネクタの内部端子同士が互いに接続されて構成される多極コネクタセットに関する。
【背景技術】
【０００２】
従来から、２つの回路基板を電気的に接続するために、一方の回路基板に第１コネクタを接続し、他方の回路基板に第２コネクタを接続し、第１コネクタと第２コネクタの内部端子同士を互いに接続して構成する多極コネクタセットが知られている（たとえば、特許文献１参照）。【０００３】
特許文献１の多極コネクタセットは、第１コネクタの第１内部端子が２列に分けて配置されている。また、第２コネクタの第２内部端子が２列に分けて配置されている。【０００４】
特許文献１の多極コネクタセットは、内部端子の列間に、シールド部材が設けられている。特許文献１の多極コネクタセットは、シールド部材によって、異なる列に配置された内部端子同士における、電磁波の干渉が抑制されている。
【先行技術文献】
【特許文献】
【０００５】
【特許文献１】国際公開第２０１９／０２１６１１号
【発明の概要】
【発明が解決しようとする課題】
【０００６】
特許文献１の多極コネクタセットは、シールド部材によって、異なる列に配置された内部端子同士における、電磁波の干渉が抑制されている。しかしながら、同じ列に配置された内部端子同士における、電磁波の干渉は十分に抑制されていない。【０００７】
そこで、本発明の目的は、同じ列に配置された内部端子同士における電磁波の干渉が抑制された多極コネクタセットを提供することにある。なお、多極コネクタセットとは、多数の端子を備えたコネクタセットである。
【課題を解決するための手段】
【０００８】
上記目的を達成するために、本発明の一実施態様にかかる多極コネクタセットは、第１コネクタと第２コネクタの内部端子同士が互いに接続されて構成される多極コネクタセットであって、第１コネクタは、複数列に配列される第１内部端子と、第１内部端子を保持する第１絶縁性部材と、第１内部端子の列間に位置する第１シールド部材と、を備え、第２コネクタは、複数列に配列される第２内部端子と、第２内部端子を保持する第２絶縁性部材と、を備え、第１シールド部材と、第１内部端子または第２内部端子とを接続する接続部をさらに備えるものとする。
【発明の効果】
【０００９】
本発明の多極コネクタセットは、同じ列に配置された内部端子同士における電磁波の干渉が抑制される。
【図面の簡単な説明】
【００１０】
【図１】図１（Ａ）は、嵌合面側から見た第１コネクタ１００Ａの斜視図である。図１（Ｂ）は、実装面側から見た第１コネクタ１００Ａの斜視図である。
【図２】第１コネクタ１００Ａの分解斜視図である。
【図３】図３（Ａ）は、嵌合面側から見た第２コネクタ１００Ｂの斜視図である。図３（Ｂ）は、実装面側から見た第２コネクタ１００Ｂの斜視図である。
【図４】第２コネクタ１００Ｂの分解斜視図である。
【図５】多極コネクタセット１００の斜視図である。
【図６】第１コネクタ１００Ａと第２コネクタ１００Ｂの嵌合を解除した多極コネクタセット１００の斜視図である。
【図７】多極コネクタセット１００を幅方向Ｗに分割した断面斜視図と、幅方向Ｗに分割した要部断面図と、長さ方向Ｌに分割した断面斜視図と、長さ方向Ｌに分割した要部断面図である。
【図８】実施例と比較例のアイソレーション特性を示すグラフである。
【図９】嵌合面側から見た第１コネクタ２００Ａの斜視図である。
【図１０】第１コネクタ２００Ａの分解斜視図である。
【図１１】嵌合面側から見た第２コネクタ２００Ｂの斜視図である。
【図１２】第２コネクタ２００Ｂの分解斜視図である。
【図１３】多極コネクタセット２００を幅方向Ｗに分割した断面斜視図と要部断面図である。
【図１４】嵌合面側から見た第１コネクタ３００Ａの斜視図である。
【図１５】第１コネクタ３００Ａの分解斜視図である。
【図１６】嵌合面側から見た第２コネクタ３００Ｂの斜視図である。
【図１７】第２コネクタ３００Ｂの分解斜視図である。
【図１８】多極コネクタセット３００を幅方向Ｗに分割した断面斜視図と要部断面図である。
【発明を実施するための形態】
【００１１】
以下、図面とともに、本発明を実施するための形態について説明する。
【００１２】
なお、各実施形態は、本発明の実施の形態を例示的に示したものであり、本発明が実施形態の内容に限定されることはない。また、異なる実施形態に記載された内容を組合せて実施することも可能であり、その場合の実施内容も本発明に含まれる。また、図面は、明細書の理解を助けるためのものであって、模式的に描画されている場合があり、描画された構成要素または構成要素間の寸法の比率が、明細書に記載されたそれらの寸法の比率と一致していない場合がある。また、明細書に記載されている構成要素が、図面において省略されている場合や、個数を省略して描画されている場合などがある。
【００１３】
［第１実施形態］
図１（Ａ）、（Ｂ）、図２、図３（Ａ）、（Ｂ）、図４、図５、図６に、第１実施形態にかかる多極コネクタセット１００を示す。なお、多極コネクタセット１００は、第１コネクタ１００Ａと第２コネクタ１００Ｂが相互に嵌合されて構成されている。図１（Ａ）は、嵌合面側から見た第１コネクタ１００Ａの斜視図である。図１（Ｂ）は、実装面側から見た第１コネクタ１００Ａの斜視図である。図２は、第１コネクタ１００Ａの分解斜視図である。図３（Ａ）は、嵌合面側から見た第２コネクタ１００Ｂの斜視図である。図３（Ｂ）は、実装面側から見た第２コネクタ１００Ｂの斜視図である。図４は、第２コネクタ１００Ｂの分解斜視図である。図５は、多極コネクタセット１００の斜視図である。図６は、第１コネクタ１００Ａと第２コネクタ１００Ｂの嵌合を解除した多極コネクタセット１００の斜視図である。
【００１４】
なお、図面には、多極コネクタセット１００、第１コネクタ１００Ａ、第２コネクタ１００Ｂの高さ方向Ｔ、長さ方向Ｌ、幅方向Ｗを示しており、以下の説明において、これらの方向に言及する場合がある。第１コネクタ１００Ａ、第２コネクタ１００Ｂは、それぞれ、長さ方向Ｌに相対して１対の端面を備え、幅方向Ｗに相対して１対の側面を備え、高さ方向Ｔに相対して１対の主面（実装面および嵌合面）を備えている。
【００１５】
上述したとおり、多極コネクタセット１００は、第１コネクタ１００Ａと第２コネクタ１００Ｂが相互に嵌合されて構成されている。以下、第１コネクタ１００Ａ、第２コネクタ１００Ｂ、多極コネクタセット１００について、順に説明する。
【００１６】
＜第１コネクタ１００Ａ＞
図１（Ａ）、（Ｂ）、図２に、第１コネクタ１００Ａを示す。
【００１７】
第１コネクタ１００Ａは、複数の第１内部端子１ａ〜１ｎを備える。第１内部端子１ａ〜１ｎは、長さ方向Ｌに延びる、第１列Ｃ１と第２列Ｃ２の２つの列に分けて配置されている。具体的には、第１列Ｃ１に第１内部端子１ａ〜１ｇが配置され、第２列Ｃ２に第１内部端子１ｈ〜１ｎが配置されている。
【００１８】
第１内部端子１ａ〜１ｎは、第１コネクタ１００Ａを実装した回路基板などの信号ラインやグランドなどに接続される。本実施形態においては、第１内部端子１ａ〜１ｎは、凸形状を有する、いわゆる雄型端子である。ただし、第１内部端子１ａ〜１ｎは、凹形状を有する、いわゆる雌型端子であってもよい。
【００１９】
第１内部端子１ａ〜１ｎの材質は任意であるが、たとえば、リン青銅を使用することができる。リン青銅は、導電性を有し、かつ、弾性変形な材料である。
【００２０】
本実施形態においては、第１内部端子１ａ〜１ｎは、短冊状の金属板を折り曲げ加工して作製したものからなる。ただし、第１内部端子１ａ〜１ｎは、ばね性を有する金属部材を抜き型加工することにより、作製したものであってもよい。
【００２１】
第１コネクタ１００Ａは、第１絶縁性部材２を備える。第１絶縁性部材２は、第１内部端子１ａ〜１ｎを保持するための部材である。第１絶縁性部材２の材質は任意であるが、たとえば、樹脂を使用することができる。第１内部端子１ａ〜１ｎは、第１絶縁性部材２にインサートモールドされている。ただし、第１内部端子１ａ〜１ｎは、第１絶縁性部材２に嵌め込んで固定されてもよい。
【００２２】
第１コネクタ１００Ａは、第１絶縁性部材２の両端に、それぞれ、第１外部端子３が設けられている。
【００２３】
第１外部端子３は、第１コネクタ１００Ａを実装した回路基板などのグランドに接続される。第１外部端子３は、第１コネクタ１００Ａの端面をシールドする。
【００２４】
第１外部端子３は、第１コネクタ１００Ａの側面側に１対のグランド実装部３ａを有し、第１コネクタ１００Ａの端面側に１対のグランド実装部３ｂを有している。１対のグランド実装部３ａは、それぞれ、第１内部端子１ａ〜１ｎが延在する方向と同じ方向に延在している。
【００２５】
第１外部端子３の材質は任意であるが、たとえば、リン青銅を使用することができる。第１外部端子３の作製方法も任意であるが、たとえば、１つの金属板を打ち抜き、折り曲げ加工して作製することができる。
【００２６】
第１外部端子３は、第１絶縁性部材２にインサートモールドされている。ただし、第１外部端子３は、第１絶縁性部材２に嵌め込んで固定されてもよい。
【００２７】
第１コネクタ１００Ａは、第１絶縁性部材２の幅方向Ｗの中央部に、長さ方向Ｌに延びる第１シールド部材４が設けられている。第１シールド部材４は、両端に端部４ｈ、４ｉを有している。
【００２８】
第１シールド部材４は、第１列Ｃ１に配置された第１内部端子１ａ〜１ｇと、第２列Ｃ２に配置された第１内部端子１ｈ〜１ｎの間における、電磁波の干渉を抑制するために設けられている。
【００２９】
第１シールド部材４は、端部４ｈ、４ｉが、第１外部端子３の下側を通って第１コネクタ１００Ａの端面に露出している。これにより、第１シールド部材４による、第１列Ｃ１に配置された第１内部端子１ａ〜１ｇと、第２列Ｃ２に配置された第１内部端子１ｈ〜１ｎの間における、電磁波の干渉の抑制が強化されている。
【００３０】
なお、第１シールド部材４の端部４ｈ、４ｉは、第１シールド部材４と第２コネクタ１００Ｂとを勘合させたときに、第２コネクタ１００Ｂの第２外部端子７と接続されるようにしてもよい。この場合には、第１シールド部材４のグランドとの接続性を強化することができる。
【００３１】
第１シールド部材４は、後述する第２コネクタ１００Ｂの第２内部端子５ｃと接続する接続部４ａを有している。接続部４ａは、第１コネクタ１００Ａと第２コネクタ１００Ｂが相互に嵌合された状態において、第１シールド部材４から、第２内部端子５ｃの方向に延びている。
【００３２】
第１シールド部材４は、後述する第２コネクタ１００Ｂの第２内部端子５ｅと接続する接続部４ｂを有している。接続部４ｂは、第１コネクタ１００Ａと第２コネクタ１００Ｂが相互に嵌合された状態において、第１シールド部材４から、第２内部端子５ｅの方向に延びている。
【００３３】
第１シールド部材４は、後述する第２コネクタ１００Ｂの第２内部端子５ｊと接続する接続部４ｃを有している。接続部４ｃは、第１コネクタ１００Ａと第２コネクタ１００Ｂが相互に嵌合された状態において、第１シールド部材４から、第２内部端子５ｊの方向に延びている。
【００３４】
第１シールド部材４は、後述する第２コネクタ１００Ｂの第２内部端子５ｌと接続する接続部４ｄを有している。接続部４ｄは、第１コネクタ１００Ａと第２コネクタ１００Ｂが相互に嵌合された状態において、第１シールド部材４から、第２内部端子５ｌの方向に延びている。
【００３５】
第１シールド部材４は、第１外部端子３のグランド実装部３ａ、３ｂよりも内側に、第１シールド部材４と、第１内部端子または第２内部端子とを接続する接続部４ａ〜４ｄを備えている。
【００３６】
第１外部端子３のグランド実装部３ａは、第１コネクタ１００Ａの外側に向かって延伸した、第１内部端子１ａ〜１ｎの端部に沿った形状をしている。これにより、グランド電位の部材である、１対の第１外部端子３と、第１シールド部材４と、第１シールド部材４に接続される第１内部端子１ｃ、１ｅ、１ｊ、１ｌとによって、第１内部端子１ａ〜１ｎ（第１内部端子１ｃ、１ｅ、１ｊ、１ｌを除く）が端部まで囲まれるため、第１内部端子１ａ〜１ｎ（第１内部端子１ｃ、１ｅ、１ｊ、１ｌを除く）と外部との電磁波の干渉がより抑制される。また、グランド実装部３ｂを、幅方向Ｗにおいて、グランド実装部３ａと第１シールド部材４との間に設けることで、さらに、第１内部端子１ａ〜１ｎ（第１内部端子１ｃ、１ｅ、１ｊ、１ｌを除く）と外部との電磁波の干渉がより抑制される。
【００３７】
また、第１シールド部材４は、後述する第２コネクタ１００Ｂの第２シールド部材８の凹部８ａと嵌合する凸部４ｅを有している。
【００３８】
第１シールド部材４は、後述する第２コネクタ１００Ｂの第２シールド部材９の凹部９ａと嵌合する凸部４ｆを有している。
【００３９】
第１シールド部材４の材質は任意であるが、たとえば、リン青銅を使用することができる。
【００４０】
本実施形態の第１シールド部材４は、１つの金属板を打ち抜き、折り曲げ加工して作製されている。ただし、第１シールド部材４は、複数の部材を接合して作製されたものであってもよい。
【００４１】
第１シールド部材４は、第１絶縁性部材２にインサートモールドされている。ただし、第１シールド部材４は、第１絶縁性部材２に、嵌め込んで固定されてもよい。
【００４２】
第１コネクタ１００Ａは、従来から、一般的に実施されているコネクタの製造方法によって、製造することができる。
【００４３】
＜第２コネクタ１００Ｂ＞
図３（Ａ）、（Ｂ）、図４に、第２コネクタ１００Ｂを示す。
【００４４】
第２コネクタ１００Ｂは、複数の第２内部端子５ａ〜５ｎを備える。第２内部端子５ａ〜５ｎは、長さ方向Ｌに延びる、第１列Ｃ１と第２列Ｃ２の２つの列に分けて配置されている。具体的には、第１列Ｃ１に第２内部端子５ａ〜５ｇが配置され、第２列Ｃ２に第２内部端子５ｈ〜５ｎが配置されている。
【００４５】
第２内部端子５ａ〜５ｎは、第２コネクタ１００Ｂを実装した回路基板などの信号ラインやグランドなどに接続される。本実施形態においては、第２内部端子５ａ〜５ｎは、いわゆる雌型端子である。ただし、第２内部端子５ａ〜５ｎは、いわゆる雄型端子であってもよい。
【００４６】
第２内部端子５ａ〜５ｎの材質は任意であるが、たとえば、リン青銅を使用することができる。
【００４７】
本実施形態においては、第２内部端子５ａ〜５ｎは、短冊状の金属板を折り曲げ加工して作製したものからなる。ただし、第２内部端子５ａ〜５ｎは、ばね性を有する金属部材を抜き型加工することにより、作製したものであってもよい。
【００４８】
第２コネクタ１００Ｂは、第２絶縁性部材６を備える。第２絶縁性部材６は、第２内部端子５ａ〜５ｎを保持するための部材である。第２絶縁性部材６の材質は任意であるが、たとえば、樹脂を使用することができる。第２内部端子５ａ〜５ｎは、第２絶縁性部材６にインサートモールドされている。ただし、第２内部端子５ａ〜５ｎは、第２絶縁性部材６に嵌め込んで固定されてもよい。
【００４９】
第２コネクタ１００Ｂは、第２絶縁性部材６に保持される第２外部端子７を備える。第２外部端子７は、第１絶縁性部材２の両端に配置された１対の本体部７ａと、１対の本体部７ａを繋ぐ長さ方向Ｌに延在する１対の側壁部（サイドシールド）７ｂを有している。
【００５０】
第２外部端子７は、第２コネクタ１００Ｂを実装した回路基板などのグランドに接続される。本体部７ａは、第２コネクタ１００Ｂの端面をシールドする。側壁部７ｂは、第２コネクタ１００Ｂの側面をシールドする。
【００５１】
第２外部端子７の材質は任意であるが、たとえば、リン青銅を使用することができる。
【００５２】
本実施形態の第２外部端子７は、１つの金属板を打ち抜き、折り曲げ加工して、一体的に作製されている。ただし、第２外部端子７は、本体部７ａと側壁部７ｂが別々に作製され、後から接合されたものであってもよい。
【００５３】
第２外部端子７は、第２絶縁性部材６にインサートモールドされている。ただし、第２外部端子は、第２絶縁性部材６に嵌め込んで固定されてもよい。
【００５４】
第２コネクタ１００Ｂは、第２絶縁性部材６の幅方向Ｗの中央部に、それぞれ長さ方向Ｌに延びる、２つの第２シールド部材８、９が設けられている。
【００５５】
第２シールド部材８、９は、第１列Ｃ１に配置された第２内部端子５ａ〜５ｇと、第２列Ｃ２に配置された第２内部端子５ｈ〜５ｎの間における、電磁波の干渉を抑制するために設けられている。
【００５６】
第２シールド部材８は、第１コネクタ１００Ａの第１シールド部材４の凸部４ｅと嵌合する凹部８ａを有している。
【００５７】
第２シールド部材９は、第１コネクタ１００Ａの第１シールド部材４の凸部４ｆと嵌合する凹部９ａを有している。
【００５８】
第２シールド部材８、９の材質は任意であるが、たとえば、リン青銅を使用することができる。
【００５９】
本実施形態においては、第２シールド部材８、９は、短冊状の金属板を折り曲げ加工して作製したものからなる。ただし、第２シールド部材８、９は、ばね性を有する金属部材を抜き型加工することにより、作製したものであってもよい。
【００６０】
第２シールド部材８、９は、第２絶縁性部材６にインサートモールドされている。ただし、第２シールド部材８、９は、第２絶縁性部材６に嵌め込んで固定されてもよい。
【００６１】
第２コネクタ１００Ｂは、従来から、一般的に実施されているコネクタの製造方法によって、製造することができる。
【００６２】
＜多極コネクタセット１００＞
第１コネクタ１００Ａと第２コネクタ１００Ｂが嵌合されて、多極コネクタセット１００が構成される。図５に、第１コネクタ１００Ａと第２コネクタ１００Ｂを嵌合させた多極コネクタセット１００の斜視図を示す。図６に、第１コネクタ１００Ａと第２コネクタ１００Ｂの嵌合を解除した多極コネクタセット１００の斜視図を示す。
【００６３】
多極コネクタセット１００は、第１コネクタ１００Ａと第２コネクタ１００Ｂを嵌合させた状態において、第１内部端子１ａ〜１ｎと第２内部端子５ａ〜５ｎが、それぞれ接続される。なお、第１内部端子１ａ〜１ｎと第２内部端子５ａ〜５ｎは、第１内部端子１ａと第２内部端子５ａというように、符合の一部を構成するアルファベットが同じもの同士が接続される。
【００６４】
また、多極コネクタセット１００は、第１コネクタ１００Ａと第２コネクタ１００Ｂを嵌合させた状態において、第１外部端子３と、第２外部端子７の本体部７ａが接続される。
【００６５】
また、多極コネクタセット１００は、図７に示すように、第１コネクタ１００Ａと第２コネクタ１００Ｂを嵌合させた状態において、第１シールド部材４の接続部４ａが第２内部端子５ｃに接続され、接続部４ｂが第２内部端子５ｅに接続され、接続部４ｃが第２内部端子５ｊに接続され、接続部４ｄが第２内部端子５ｌに接続される。
【００６６】
より具体的には、第１コネクタ１００Ａと第２コネクタ１００Ｂを嵌合させたとき、第２内部端子５ｃが接続部４ａを両側から押圧し、第２内部端子５ｅが接続部４ｂを両側から押圧し、第２内部端子５ｊが接続部４ｃを両側から押圧し、第２内部端子５ｌが接続部４ｄを両側から押圧する。
【００６７】
すなわち、第１コネクタ１００Ａと第２コネクタ１００Ｂを嵌合させたとき、接続部４ａと第２内部端子５ｃの接点と、第１内部端子１ｃと第２内部端子５ｃの接点とが、第２内部端子５ｃの延在方向に並ぶ。接続部４ｂと第２内部端子５ｅの接点と、第１内部端子１ｅと第２内部端子５ｅの接点とが、第２内部端子５ｅの延在方向に並ぶ。  接続部４ｃと第２内部端子５ｊの接点と、第１内部端子１ｊと第２内部端子５ｊの接点とが、第２内部端子５ｊの延在方向に並ぶ。接続部４ｄと第２内部端子５ｌの接点と、第１内部端子１ｌと第２内部端子５ｌの接点とが、第２内部端子５ｌの延在方向に並ぶ。
【００６８】
第２内部端子５ｃは、第１シールド部材４の接続部４ａに接続されたことにより、第１内部端子１ｃとともにグランド電位になり、シールド効果を発現する。そして、第２内部端子５ｃおよび第１内部端子１ｃは、同じ第１列Ｃ１に配置された同士である、第１内部端子１ｂおよび第２内部端子５ｂと、第１内部端子１ｄおよび第２内部端子５ｄの間における、電磁波の干渉を抑制する。なお、第２内部端子５ｃおよび第１内部端子１ｃも、それぞれ、グランドに接続されることが好ましい。
【００６９】
第２内部端子５ｅは、第１シールド部材４の接続部４ｂに接続されたことにより、第１内部端子１ｅとともにグランド電位になり、シールド効果を発現する。そして、第２内部端子５ｅおよび第１内部端子１ｅは、同じ第１列Ｃ１に配置された同士である、第１内部端子１ｄおよび第２内部端子５ｄと、第１内部端子１ｆおよび第２内部端子５ｆの間における、電磁波の干渉を抑制する。なお、第２内部端子５ｅおよび第１内部端子１ｅも、それぞれ、グランドに接続されることが好ましい。
【００７０】
第２内部端子５ｊは、第１シールド部材４の接続部４ｃに接続されたことにより、第１内部端子１ｊとともにグランド電位になり、シールド効果を発現する。そして、第２内部端子５ｊおよび第１内部端子１ｊは、同じ第２列Ｃ２に配置された同士である、第１内部端子１ｉおよび第２内部端子５ｉと、第１内部端子１ｋおよび第２内部端子５ｋの間における、電磁波の干渉を抑制する。なお、第２内部端子５ｊおよび第１内部端子１ｊも、それぞれ、グランドに接続されることが好ましい。
【００７１】
第２内部端子５ｌは、第１シールド部材４の接続部４ｄに接続されたことにより、第１内部端子１ｌとともにグランド電位になり、シールド効果を発現する。そして、第２内部端子５ｌおよび第１内部端子１ｌは、同じ第２列Ｃ２に配置された同士である、第１内部端子１ｋおよび第２内部端子５ｋと、第１内部端子１ｍおよび第２内部端子５ｍの間における、電磁波の干渉を抑制する。なお、第２内部端子５ｌおよび第１内部端子１ｌも、それぞれ、グランドに接続されることが好ましい。
【００７２】
以上のように、多極コネクタセット１００は、第１コネクタ１００Ａと第２コネクタ１００Ｂを嵌合させた状態において、第１シールド部材４が、第２内部端子５ｃ、５ｅ、５ｊ、５ｌに接続されるため、同じ列に配置された内部端子同士における電磁波の干渉が抑制される。
【００７３】
また、多極コネクタセット１００は、図７に示すように、第１コネクタ１００Ａと第２コネクタ１００Ｂを嵌合させた状態において、第１シールド部材４の凸部４ｅが第２シールド部材８の凹部８ａに嵌合され、第１シールド部材４の凸部４ｆが第２シールド部材９の凹部９ａに嵌合される。この結果、第１シールド部材４と第２シールド部材８が接続され、第１シールド部材４と第２シールド部材９とが接続される。
【００７４】
図８に、第１シールド部材４を第２内部端子５ｃ、５ｅ、５ｊ、５ｌに接続した実施例と、第１シールド部材４を第２内部端子５ｃ、５ｅ、５ｊ、５ｌに接続しなかった比較例につき、それぞれのアイソレーション特性を示す。図８から分かるように、第１シールド部材４を第２内部端子５ｃ、５ｅ、５ｊ、５ｌに接続した実施例は、接続しなかった比較例に比べて、アイソレーション特性が改善されている。
【００７５】
［第２実施形態］
図９〜図１３に、第２実施形態にかかる多極コネクタセット２００を示す。なお、多極コネクタセット２００は、第１コネクタ２００Ａと第２コネクタ２００Ｂが相互に嵌合されて構成されている。図９は、嵌合面側から見た第１コネクタ２００Ａの斜視図である。図１０は、第１コネクタ２００Ａの分解斜視図である。図１１は、嵌合面側から見た第２コネクタ２００Ｂの斜視図である。図１２は、第２コネクタ２００Ｂの分解斜視図である。図１３は、多極コネクタセット２００を幅方向Ｗに分割した断面斜視図と要部断面図である。
【００７６】
第２実施形態にかかる多極コネクタセット２００は、第１実施形態にかかる多極コネクタセット１００の構成の一部に変更を加えた。具体的には、多極コネクタセット１００では、第１シールド部材４に接続部４ａ〜４ｄを形成し、接続部４ａを第２内部端子５ｃに接続し、接続部４ｂを第２内部端子５ｅに接続し、接続部４ｃを第２内部端子５ｊに接続し、接続部４ｄを第２内部端子５ｌに接続していた。多極コネクタセット２００では、これを変更し、第２内部端子側に接続部を形成し、形成した接続部を第１シールド部材２４に接続するようにした。
【００７７】
多極コネクタセット２００は、第１シールド部材２４から、多極コネクタセット１００の第１シールド部材４に形成されていた接続部４ａ〜４ｄを省略し、代わりに接続板２４ｇを形成した。
【００７８】
また、多極コネクタセット２００は、多極コネクタセット１００の第２内部端子５ｂ、５ｄ、５ｆ、５ｉ、５ｋ、５ｍの代わりに、形状の異なる第２内部端子２５ｂ、２５ｄ、２５ｆ、２５ｉ、２５ｋ、２５ｍを使用した。第２内部端子２５ｂ、２５ｄ、２５ｆ、２５ｉ、２５ｋ、２５ｍは、それぞれ、先端に、第１シールド部材２４の接続板２４ｇと接続するための接続部２１が形成されている。
【００７９】
多極コネクタセット２００は、第１コネクタ２００Ａと第２コネクタ２００Ｂを嵌合させた状態において、第２内部端子２５ｂの接続部２１と、第２内部端子２５ｄの接続部２１と、第２内部端子２５ｆの接続部２１と、第２内部端子２５ｉの接続部２１と、第２内部端子２５ｋの接続部２１と、第２内部端子２５ｍの接続部２１が、それぞれ、第１シールド部材２４の接続板２４ｇに接続される。
【００８０】
多極コネクタセット２００も、第１シールド部材２４が、第２内部端子２５ｂ、２５ｄ、２５ｆ、２５ｉ、２５ｋ、２５ｍに接続されるため、同じ列に配置された内部端子同士における電磁波の干渉が抑制される。
【００８１】
［第３実施形態］
図１４〜図１８に、第３実施形態にかかる多極コネクタセット３００を示す。なお、多極コネクタセット３００は、第１コネクタ３００Ａと第２コネクタ３００Ｂが相互に嵌合されて構成されている。図１４は、嵌合面側から見た第１コネクタ３００Ａの斜視図である。図１５は、第１コネクタ３００Ａの分解斜視図である。図１６は、嵌合面側から見た第２コネクタ３００Ｂの斜視図である。図１７は、第２コネクタ３００Ｂの分解斜視図である。図１８は、多極コネクタセット３００を幅方向Ｗに分割した断面斜視図と要部断面図である。
【００８２】
第３実施形態にかかる多極コネクタセット３００は、第２実施形態にかかる多極コネクタセット２００に、更に変更を加えた。具体的には、多極コネクタセット２００では、第２内部端子２５ｂ、２５ｄ、２５ｆ、２５ｉ、２５ｋ、２５ｍは、第２外部端子７には接続されていなかった。多極コネクタセット３００は、多極コネクタセット２００の第２内部端子２５ｂ、２５ｄ、２５ｆ、２５ｉ、２５ｋ、２５ｍに代えて、それぞれ第２外部端子７の側壁部７ｂに接続された第２内部端子３５ｂ、３５ｄ、３５ｆ、３５ｉ、３５ｋ、３５ｍを使用した。第２内部端子３５ｂ、３５ｄ、３５ｆ、３５ｉ、３５ｋ、３５ｍは、先端に接続部３１が形成されている。
【００８３】
また、多極コネクタセット３００は、第２コネクタ３００Ｂから第２シールド部材８、９を省略した。また、多極コネクタセット３００は、第１コネクタ３００Ａに、凸部４ｅ、４ｆが省略され、より大きな接続板３４ｇが形成された第１シールド部材３４を使用した。
【００８４】
多極コネクタセット３００は、第１コネクタ３００Ａと第２コネクタ３００Ｂを嵌合させた状態において、第２内部端子３５ｂの接続部３１と、第２内部端子３５ｄの接続部３１と、第２内部端子３５ｆの接続部３１と、第２内部端子３５ｉの接続部３１と、第２内部端子３５ｋの接続部３１と、第２内部端子３５ｍの接続部３１が、それぞれ、第１シールド部材３４の接続板３４ｇに接続される。
【００８５】
多極コネクタセット３００は、第１シールド部材３４が、第２内部端子３５ｂ、３５ｄ、３５ｆ、３５ｉ、３５ｋ、３５ｍに接続されるため、同じ列に配置された内部端子同士における電磁波の干渉が抑制される。
【００８６】
また、多極コネクタセット３００は、第２内部端子３５ｂ、３５ｄ、３５ｆ、３５ｉ、３５ｋ、３５ｍが第２外部端子７と接続され、第１シールド部材３４と、第１内部端子１ｂ、１ｄ、１ｆ、１ｉ、１ｋ、１ｍと、第２内部端子３５ｂ、３５ｄ、３５ｆ、３５ｉ、３５ｋ、３５ｍと、第２外部端子７が、相互に接続されるため、シールド効果がさらに高くなっている。
【００８７】
以上、第１実施形態〜第３実施形態にかかる多極コネクタセット１００、２００、３００について説明した。しかしながら、本発明が上述した内容に限定されることはなく、発明の趣旨に沿って種々の変更をなすことができる。
【００８８】
たとえば、第１実施形態〜第３実施形態では、第１シールド部材を第２内部端子に接続したが、第１シールド部材を、第２内部端子に代えて、または、第２内部端子に加えて、第１内部端子に接続させてもよい。
【００８９】
本発明の一実施態様にかかる多極コネクタセットは、「課題を解決するための手段」の欄に記載したとおりである。
【００９０】
この多極コネクタセットにおいて、第１シールド部材は、接続部を有し、接続部は、第１シールド部材から、第１内部端子または前記第２内部端子の方向に延びることも好ましい。あるいは、第２内部端子は、接続部を有し、接続部は、第２内部端子から、第１シールド部材の方向に延びることも好ましい。
【００９１】
また、第２コネクタは、長手方向に延在する矩形状であり、第２コネクタは、第２絶縁性部材に保持される第２外部端子を、さらに備え、第２外部端子は、長手方向に延在し互いに対向する２つの側壁部を有し、第２内部端子の少なくとも１つは、側壁部に接続し、第２内部端子は、接続部を有し、接続部は、側壁部に接続した第２内部端子から、第１シールド部材の方向に延びることも好ましい。この場合には、第１シールド部材と、第２内部端子と、第２外部端子が相互に接続されるため、シールド効果が高くなる。
【００９２】
また、第１コネクタは、第１絶縁性部材に保持される第１外部端子を、さらに備え、第２コネクタは、第２絶縁性部材に保持される第２外部端子を、さらに備え、第１シールド部材は第１外部端子の下を通り、第２外部端子まで伸びることも好ましい。この場合には、第１シールド部材による、異なる列に配置された内部端子間の電磁波の干渉の抑制が強化される。
【００９３】
また、第２コネクタは第１シールド部材を第１内部端子の延在方向の両方から押圧する、第２内部端子を有することも好ましい。この場合には、第１シールド部材と第２内部端子とが確実に接続される。
【００９４】
また、第２コネクタは、第２内部端子の列間に位置する第２シールド部材を、さらに備え、第２シールド部材は、第１シールド部材と接続することも好ましい。この場合には、異なる列に配置された内部端子同士における、電磁波の干渉がより抑制される。
【００９５】
また、第１内部端子が雄型端子であり、第２内部端子が雌型端子であることも好ましい。この場合には、たとえば、第２内部端子の先端に接続部を設け、その接続部を第１シールド部材に当接させて接続するとき、接続部が第１シールド部材にばね性をもって当接するため、第２内部端子と第１シールド部材が良好に接続される。
【符号の説明】
【００９６】
１ａ〜１ｎ・・・第１内部端子
２・・・第１絶縁性部材
３・・・第１外部端子
３ａ、３ｂ・・・グランド実装部
４、２４、３４・・・第１シールド部材
４ａ〜４ｄ・・・接続部
４ｅ、４ｆ、２４ｅ、２４ｆ・・・凸部
２４ｇ、３４ｇ・・・接続板
４ｈ、４ｉ、２４ｈ、２４ｉ、３４ｈ、３４ｉ・・・端部
５ａ〜５ｎ、２５ｂ、２５ｄ、２５ｆ、２５ｉ、２５ｋ、２５ｍ、３５ｂ、３５ｄ、３５ｆ、３５ｉ、３５ｋ、３５ｍ・・・第２内部端子
６・・・第２絶縁性部材
７・・・第２外部端子
７ａ・・・本体部
７ｂ・・・側壁部
８、９・・・第２シールド部材
８ａ、９ａ・・・凹部
２１、３１・・・接続部
【図１】
2020218385.tif 000003
【図２】
2020218385.tif 000004
【図３】
2020218385.tif 000005
【図４】
2020218385.tif 000006
【図５】
2020218385.tif 000007
【図６】
2020218385.tif 000008
【図７】
2020218385.tif 000009
【図８】
2020218385.tif 000010
【図９】
2020218385.tif 000011
【図１０】
2020218385.tif 000012
【図１１】
2020218385.tif 000013
【図１２】
2020218385.tif 000014
【図１３】
2020218385.tif 000015
【図１４】
2020218385.tif 000016
【図１５】
2020218385.tif 000017
【図１６】
2020218385.tif 000018
【図１７】
2020218385.tif 000019
【図１８】
2020218385.tif 000020
【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
第１コネクタと第２コネクタの内部端子同士が互いに接続されて構成される多極コネクタセットであって、
前記第１コネクタは、
複数列の配列に配置された第１内部端子と、
前記第１内部端子を保持する第１絶縁性部材と、
前記第１内部端子の前記複数列の前記配列の間に位置する第１シールド部材と、を備え、
前記第２コネクタは、
複数列の配列に配置された第２内部端子と、
前記第２内部端子を保持する第２絶縁性部材と、を備え、
前記第１シールド部材と、前記第１内部端子または前記第２内部端子とを接続する接続部をさらに備え、
少なくとも１つの前記接続部は、前記第１シールド部材と、前記配列の中間に配置された前記第１内部端子、または、前記配列の中間に配置された前記第２内部端子とを接続する、
多極コネクタセット。
【請求項２】
前記第１シールド部材は、前記接続部を有し、前記接続部は、前記第１シールド部材から、前記第１内部端子または前記第２内部端子の方向に延びる、
請求項１に記載された多極コネクタセット。
【請求項３】
前記第２内部端子は、前記接続部を有し、前記接続部は、前記第２内部端子から、前記第１シールド部材の方向に延びる、
請求項１に記載された多極コネクタセット。
【請求項４】
前記第２コネクタは、長手方向に延在する矩形状であり、
前記第２コネクタは、前記第２絶縁性部材に保持される第２外部端子を、さらに備え、
前記第２外部端子は、前記長手方向に延在し互いに対向する２つの側壁部を有し、
前記第２内部端子の少なくとも１つは、前記側壁部に接続し、
前記第２内部端子は、前記接続部を有し、前記接続部は、前記側壁部に接続した前記第２内部端子から、前記第１シールド部材の方向に延びる、
請求項１に記載された多極コネクタセット。
【請求項５】
前記第１コネクタは、前記第１絶縁性部材に保持される第１外部端子を、さらに備え、
前記第２コネクタは、前記第２絶縁性部材に保持される第２外部端子を、さらに備え、
前記第１シールド部材は前記第１外部端子の下を通り、前記第２外部端子まで伸びる、
請求項１ないし４のいずれか１項に記載の多極コネクタセット。
【請求項６】
前記第２コネクタは前記第１シールド部材を前記第１内部端子の延在方向の両方から押圧する、第２内部端子を有する、
請求項１ないし５のいずれか１項に記載の多極コネクタセット。
【請求項７】
前記第２コネクタは、前記第２内部端子の列間に位置する第２シールド部材を、さらに備え、
前記第２シールド部材は、前記第１シールド部材と接続する、
請求項１ないし６のいずれか１項に記載された多極コネクタセット。
【請求項８】
前記第１内部端子が雄型端子であり、
前記第２内部端子が雌型端子である、
請求項１ないし７のいずれか１項に記載された多極コネクタセット。
【手続補正２】
【補正対象書類名】明細書
【補正対象項目名】０００８
【補正方法】変更
【補正の内容】
【０００８】
上記目的を達成するために、本発明の一実施態様にかかる多極コネクタセットは、第１コネクタと第２コネクタの内部端子同士が互いに接続されて構成される多極コネクタセットであって、第１コネクタは、複数列の配列に配置された第１内部端子と、第１内部端子を保持する第１絶縁性部材と、第１内部端子の複数列の配列の間に位置する第１シールド部材と、を備え、第２コネクタは、複数列の配列に配置された第２内部端子と、第２内部端子を保持する第２絶縁性部材と、を備え、第１シールド部材と、第１内部端子または第２内部端子とを接続する接続部をさらに備え、少なくとも１つの接続部は、第１シールド部材と、配列の中間に配置された第１内部端子、または、配列の中間に配置された第２内部端子とを接続するものとする。
【国際調査報告】
2020218385.tif 000021
2020218385.tif 000022
2020218385.tif 000023
2020218385.tif 000024
2020218385.tif 000025